(57)【要約】【課題】出力する放送を、音声放送とサイマル放送との間で適切なタイミングで切り替えることができる放送受信装置、および放送受信装置の放送切替方法を提供する。【解決手段】放送受信装置は、音声放送受信部と、サイマル放送入力部と、バッファ部と、受信状態判定部と、放送切替部とを備える。音声放送受信部は、音声放送を受信する。サイマル放送入力部は、端末装置で受信されるサイマル放送の音声情報が入力される。バッファ部は、サイマル放送の音声情報を一時的に記憶する。受信状態判定部は、バッファ部に記憶されたサイマル放送の音声情報に基づいて端末装置におけるサイマル放送の受信状態を判定する。放送切替部は、受信状態判定部の判定結果に基づき、音声出力部へ出力する放送を音声放送受信部で受信された音声放送とサイマル放送入力部に入力されたサイマル放送との間で切り替える。【選択図】図１
2017139609.tif 000002
【特許請求の範囲】
【請求項１】
音声放送を受信する音声放送受信部と、
端末装置で受信され、前記音声放送と同一内容の放送が行われているサイマル放送の音声情報が入力されるサイマル放送入力部と、
前記サイマル放送入力部に入力された前記サイマル放送の音声情報を一時的に記憶するバッファ部と、
前記バッファ部に記憶された前記サイマル放送の音声情報に基づいて前記端末装置における前記サイマル放送の受信状態を判定する受信状態判定部と、
前記受信状態判定部の判定結果に基づき、音声出力部へ出力する放送を前記音声放送受信部で受信された前記音声放送と前記サイマル放送入力部に入力された前記サイマル放送との間で切り替える放送切替部と
を備えることを特徴とする放送受信装置。
【請求項２】
前記受信状態判定部は、
前記バッファ部に記憶された前記音声情報における無音区間が所定時間継続した場合、前記端末装置における前記サイマル放送の受信状態は受信不可状態であると判定し、
前記放送切替部は、
前記音声出力部に対して前記サイマル放送が出力されているときに、前記受信状態判定部によって受信不可状態であると判定された場合、前記音声出力部へ出力する放送を前記サイマル放送から前記音声放送へ切り替えること
を特徴とする請求項１に記載の放送受信装置。
【請求項３】
前記受信状態判定部は、
前記端末装置の端末装置側バッファ部において予め設定されたバッファ時間を前記所定時間として設定すること
を特徴とする請求項２に記載の放送受信装置。
【請求項４】
前記音声出力部に対して前記音声放送が出力されている場合、前記端末装置に対して前記サイマル放送の受信を停止させる停止信号を出力する端末装置制御部
を備えることを特徴とする請求項１〜３のいずれか一つに記載の放送受信装置。
【請求項５】
現在の位置を示す情報を取得する位置情報取得部と、
前記サイマル放送を受信可能な受信エリアを示す情報を取得する受信エリア情報取得部と
を備え、
前記受信状態判定部は、
前記現在の位置が前記受信エリアの外であり、かつ、前記バッファ部に記憶された前記音声情報における無音区間が所定時間継続した場合、前記端末装置における前記サイマル放送の受信状態は受信不可状態であると判定し、
前記放送切替部は、
前記音声出力部に対して前記サイマル放送が出力されているときに、前記受信状態判定部によって受信不可状態であると判定された場合、前記音声出力部へ出力する放送を前記サイマル放送から前記音声放送へ切り替えること
を特徴とする請求項１〜４のいずれか一つに記載の放送受信装置。
【請求項６】
音声放送を受信する音声放送受信部と、端末装置で受信され、前記音声放送と同一内容の放送が行われているサイマル放送の音声情報が入力されるサイマル放送入力部と、前記サイマル放送入力部に入力された前記サイマル放送の音声情報を一時的に記憶するバッファ部とを備えた放送受信装置の放送切替方法であって、
前記バッファ部に記憶された前記サイマル放送の音声情報に基づいて前記端末装置における前記サイマル放送の受信状態を判定する受信状態判定工程と、
前記受信状態判定工程での判定結果に基づき、音声出力部へ出力する放送を前記音声放送受信部で受信された前記音声放送と前記サイマル放送入力部に入力された前記サイマル放送との間で切り替える放送切替工程と
を含むことを特徴とする放送受信装置の放送切替方法。
【発明の詳細な説明】
【技術分野】
【０００１】
本発明は、放送受信装置、および放送受信装置の放送切替方法に関する。
【背景技術】
【０００２】
従来、例えばラジオ放送を含む音声放送と、かかる音声放送と同一内容の放送が行われているサイマル放送とを受信可能な放送受信装置が提案されている（例えば特許文献１参照）。また、上記した従来技術にあっては、現在位置がサイマル放送を受信可能なエリアであるか否かを判定し、判定結果に応じて出力する放送を切り替えるようにしている。
【先行技術文献】
【特許文献】
【０００３】
【特許文献１】特開２０１３−０７７９８５号公報
【発明の概要】
【発明が解決しようとする課題】
【０００４】
しかしながら、現在位置がサイマル放送を受信可能なエリアであっても、サイマル放送の受信状態が悪い場合がある。かかる場合に、出力する放送をサイマル放送に切り替えると、音切れなどが発生するおそれがあった。このように、従来技術には、出力する放送を、音声放送とサイマル放送との間で適切なタイミングで切り替えるという点で改善の余地があった。
【０００５】
本発明は、上記に鑑みてなされたものであって、出力する放送を、音声放送とサイマル放送との間で適切なタイミングで切り替えることができる放送受信装置、および放送受信装置の放送切替方法を提供することを目的とする。
【課題を解決するための手段】
【０００６】
上記課題を解決し、目的を達成するために、本発明は、放送受信装置において、音声放送受信部と、サイマル放送入力部と、バッファ部と、受信状態判定部と、放送切替部とを備える。音声放送受信部は、音声放送を受信する。サイマル放送入力部は、端末装置で受信され、前記音声放送と同一内容の放送が行われているサイマル放送の音声情報が入力される。バッファ部は、前記サイマル放送入力部に入力された前記サイマル放送の音声情報を一時的に記憶する。受信状態判定部は、前記バッファ部に記憶された前記サイマル放送の音声情報に基づいて前記端末装置における前記サイマル放送の受信状態を判定する。放送切替部は、前記受信状態判定部の判定結果に基づき、音声出力部へ出力する放送を前記音声放送受信部で受信された前記音声放送と前記サイマル放送入力部に入力された前記サイマル放送との間で切り替える。
【発明の効果】
【０００７】
本発明によれば、放送受信装置において、出力する放送を、音声放送とサイマル放送との間で適切なタイミングで切り替えることができる。
【図面の簡単な説明】
【０００８】
【図１】図１は、第１の実施形態に係る放送切替方法の概要を示す図である。
【図２】図２は、第１の実施形態に係る放送受信装置を備えた放送受信システムの構成例を示す図である。
【図３】図３は、放送受信装置を備えた放送受信システムの構成例を示すブロック図である。
【図４Ａ】図４Ａは、ラジオ放送受信状態判定部で行われる判定処理を説明する図である。
【図４Ｂ】図４Ｂは、サイマル放送受信状態判定部で行われる判定処理を説明する図である。
【図５】図５は、放送受信装置が実行する処理手順を示すフローチャートである。
【図６】図６は、第２の実施形態における放送受信装置を備えた放送受信システムの構成例を示すブロック図である。
【図７】図７は、第２の実施形態に係る放送受信装置が実行する処理手順を示すフローチャートである。
【発明を実施するための形態】
【０００９】
以下、添付図面を参照して、本願の開示する放送受信装置、および放送受信装置の放送切替方法の実施形態を詳細に説明する。なお、以下に示す実施形態によりこの発明が限定されるものではない。
【００１０】
（第１の実施形態）
＜１．放送受信装置の放送切替方法の概要＞
以下では先ず、第１の実施形態に係る放送切替方法の概要について図１を参照して説明する。図１は、第１の実施形態に係る放送切替方法の概要を示す図である。
【００１１】
第１の実施形態に係る表示制御方法は、例えば放送受信システム１０が備える放送受信装置２０によって実行される。具体的には、図１に示すように、放送受信システム１０は、放送受信装置２０と、音声出力部１３と、端末装置１００とを備える。
【００１２】
放送受信装置２０は、放送局Ａからの音声放送をアンテナ１１を介して受信する。上記した音声放送には、例えばラジオ放送やテレビ放送など種々の放送が含まれるが、ここではラジオ放送を例にとって説明するものとする。以下、音声放送を「ラジオ放送」と記載する場合がある。
【００１３】
音声出力部１３は、放送受信装置２０に接続される。音声出力部１３は、例えばユーザに対し、放送受信装置２０で受信されたラジオ放送の音声などを出力するスピーカである。
【００１４】
端末装置１００は、放送受信装置２０に通信可能に接続される。端末装置１００と放送受信装置２０との通信方式は、有線通信であっても無線通信であってもよく、例えばＵＳＢ（Universal  Serial  Bus）やBluetooth（登録商標）など所定の通信方式を用いることができる。
【００１５】
端末装置１００としては、スマートフォンなどの携帯端末装置を用いることができるが、これに限定されるものではなく、例えばタブレット端末、ゲーム機、ＰＤＡ（Personal  Digital  Assistant）などその他の端末装置であってもよい。
【００１６】
また、端末装置１００は、インターネットなどの通信回線網Ｎ（図３参照）を介してサーバ１１０に通信可能に接続される。
【００１７】
ここで、サーバ１１０は、通信回線網Ｎにより音声ストリームを配信可能なサーバである。サーバ１１０は、例えばラジオ放送（例えばラジオ番組など）と同一内容の放送が行われるサイマル放送、より詳しくはＩＰ（Internet  Protocol）サイマル放送の音声情報をリアルタイムにストリーミング配信する。すなわち、サーバ１１０は、インターネットラジオ放送を行う。
【００１８】
なお、上記したサイマル放送（詳しくはＩＰサイマル放送）は、受信できる受信エリアが制限されており、例えばサイマル放送の受信エリアは、ラジオ放送の放送エリアに対応するように設定されている。
【００１９】
端末装置１００は、サーバ１１０から配信されるサイマル放送の音声情報を受信し、受信したサイマル放送の音声情報を放送受信装置２０へ入力する。放送受信装置２０は、バッファ部３６を備え、入力されたサイマル放送の音声情報を一時的に記憶する。
【００２０】
上記のように構成された放送受信システム１０の放送受信装置２０では、音声出力部１３へ出力する放送をラジオ放送とサイマル放送との間で適切なタイミングで切り替える放送切替方法が実行される。
【００２１】
具体的には、放送受信装置２０は、放送局Ａからのラジオ放送を受信する（ステップＳ１）。次に、放送受信装置２０は、端末装置１００から入力されたサイマル放送の音声情報をバッファ部３６に記憶する（ステップＳ２）。
【００２２】
続いて、放送受信装置２０は、バッファ部３６に記憶されたサイマル放送の音声情報に基づいて端末装置１００におけるサイマル放送の受信状態を判定する（ステップＳ３）。この放送受信装置２０で行われる、端末装置１００のサイマル放送の受信状態の判定処理については、図４Ｂなどを参照して後述する。
【００２３】
そして、放送受信装置２０は、例えば音声出力部１３に対してサイマル放送が出力されているときに、サイマル放送の受信状態が受信不可状態であると判定された場合、音声出力部１３へ出力する放送をサイマル放送からラジオ放送へ切り替える（ステップＳ４）。
【００２４】
このように、本実施形態では、放送受信装置２０側のバッファ部３６に記憶された音声情報を監視するだけで、端末装置１００におけるサイマル放送の受信状態を容易に判定することができる。
【００２５】
また、本実施形態では、端末装置１００側の音声情報ではなく、放送受信装置２０側の音声情報を用いて判定するため、端末装置１００の機種に関わらず、また、端末装置１００を特に制御することなく、サイマル放送の受信状態を正確に判定することができる。
【００２６】
これにより、本実施形態にあっては、音声出力部１３から出力する放送を、ラジオ放送とサイマル放送との間で適切なタイミングで切り替えることができる。
【００２７】
＜２．放送受信装置の構成＞
次に、第１の実施形態に係る放送受信装置２０などの構成について、図２，３を用いて説明する。図２は、第１の実施形態に係る放送受信装置２０を備えた放送受信システム１０の構成例を示す図である。また、図３は、放送受信装置２０を備えた放送受信システム１０の構成例を示すブロック図である。
【００２８】
図２に示すように、放送受信システム１０において、放送受信装置２０や音声出力部１３は、自動車などの車両１に搭載される。また、放送受信システム１０において、端末装置１００も車両１の車室内に配置される。
【００２９】
放送受信システム１０は、表示部１４と、操作部１２（図３参照）とをさらに備える。表示部１４は、液晶パネルなどの画面を備え、例えば車室内においてユーザの視認可能な位置に配置される。
【００３０】
図３に示すように、操作部１２は、運転者や同乗者などのユーザの操作を受け付ける。操作部１２としては、たとえば、表示部１４付近に配置される操作ボタンや表示部１４の画面に設けられるタッチパネルなどを用いることができる。
【００３１】
操作部１２は、ユーザによって操作された場合、かかる操作内容を示す信号を放送受信装置２０の制御部３０（後述）へ出力する。なお、ここでは、操作部１２は、音声出力部１３から出力される放送を、ユーザがラジオ放送とサイマル放送との間で選択する放送選択ボタンを含み、かかるボタンがユーザによって操作された場合、選択された放送の種類を示す信号を制御部３０へ出力する。
【００３２】
放送受信装置２０は、制御部３０と、記憶部５０とを備える。制御部３０は、放送受信装置２０全体を制御する制御部である。制御部３０は、ラジオ放送受信部３１と、ラジオ放送受信状態判定部３２と、操作受付部３４と、サイマル放送入力部３５と、バッファ部３６と、サイマル放送受信状態判定部３７と、放送切替部３８と、表示制御部３９と、端末装置制御部４０とを備える。
【００３３】
また、記憶部５０は、不揮発性メモリやハードディスクドライブといった記憶デバイスで構成される記憶部であり、しきい値情報５１を記憶する。しきい値情報５１には、後述するラジオ放送やサイマル放送の受信状態の判定を行う際に用いられる、各種のしきい値の情報が含まれている。
【００３４】
ラジオ放送受信部３１は、ラジオ放送をアンテナ１１を介して受信し、受信したラジオ放送を示す信号を放送切替部３８およびラジオ放送受信状態判定部３２へ出力する。なお、ラジオ放送受信部３１は、音声放送受信部の一例である。
【００３５】
ラジオ放送受信状態判定部３２は、ラジオ放送を示す信号に基づき、ラジオ放送受信部３１におけるラジオ放送受信状態が、受信可能状態であるか、受信不可状態であるかを判定する。例えばラジオ放送受信状態判定部３２は、記憶部５０に記憶されたしきい値情報５１を取得する、詳しくは判定基準となるしきい値ａの情報を取得する。
【００３６】
図４Ａは、ラジオ放送受信状態判定部３２で行われる判定処理を説明する図である。図４Ａに示すように、ラジオ放送受信状態判定部３２は、ラジオ放送の受信レベルがしきい値ａ未満になった場合（時刻Ｔ１）、ラジオ放送受信部３１におけるラジオ放送受信状態が受信不可状態であると判定する。
【００３７】
他方、ラジオ放送受信状態判定部３２は、ラジオ放送の受信レベルがしきい値ａ以上の場合（時刻Ｔ１よりも前の時刻）、ラジオ放送受信部３１におけるラジオ放送受信状態が受信可能状態であると判定する。ラジオ放送受信状態判定部３２は、上記した判定結果を示す情報を放送切替部３８へ出力する。
【００３８】
図３の説明に戻ると、操作受付部３４は、操作部１２を介して入力されたユーザからの操作に基づく指示信号を受け付ける。なお、操作受付部３４は、例えば操作部１２のうち放送選択ボタンが操作されて、選択された放送の種類を示す信号を受け付け、受け付けた信号を放送切替部３８へ出力する。
【００３９】
サイマル放送入力部３５には、端末装置１００から、端末装置１００で受信されたサイマル放送の音声情報が入力される。サイマル放送入力部３５は、入力されたサイマル放送の音声情報を放送切替部３８およびバッファ部３６へ出力する。
【００４０】
バッファ部３６は、サイマル放送入力部３５に入力されたサイマル放送の音声情報を一時的に記憶する。ここで、バッファ部３６に記憶される音声情報には、例えば端末装置１００におけるサイマル放送の受信状態が悪く、音声が受信されない区間（以下「無音区間」という）も含めて記憶されるものとする。
【００４１】
サイマル放送受信状態判定部３７は、バッファ部３６に記憶されたサイマル放送の音声情報に基づいて端末装置１００におけるサイマル放送の受信状態を判定する、具体的にはサイマル放送の受信状態が、受信可能状態であるか、受信不可状態であるかを判定する。
【００４２】
例えばサイマル放送受信状態判定部３７は、記憶部５０に記憶されたしきい値情報５１を取得する、詳しくは無音の判定基準となるしきい値ｂ（ｄＢ）と無音区間の判定基準となるしきい値ｃ（ｓｅｃ）の情報を取得する。
【００４３】
図４Ｂは、サイマル放送受信状態判定部３７で行われる判定処理を説明する図である。図４Ｂに示すように、サイマル放送受信状態判定部３７は、サイマル放送の音声情報において音声レベルがしきい値ｂ未満になった場合（時刻Ｔ２）、無音になったと判定する。
【００４４】
続いて、サイマル放送受信状態判定部３７は、無音と判定される無音区間がしきい値ｃ以上継続した場合（時刻Ｔ３）、端末装置１００におけるサイマル放送受信状態が受信不可状態であると判定する。
【００４５】
他方、サイマル放送受信状態判定部３７は、サイマル放送の音声状態において音声レベルがしきい値ｂ以上の場合、あるいは、無音区間がしきい値ｃ未満の場合（時刻Ｔ３よりも前の時刻）、端末装置１００におけるサイマル放送受信状態が受信可能状態であると判定する。サイマル放送受信状態判定部３７は、上記した判定結果を示す情報を放送切替部３８へ出力する。なお、サイマル放送受信状態判定部３７は、受信状態判定部の一例である。
【００４６】
図３の説明に戻ると、放送切替部３８は、例えば先ず操作受付部３４から出力された放送の種類、言い換えると、ユーザによって選択された放送の種類に応じた放送を音声出力部１３を介して出力する。その後、放送切替部３８は、ラジオ放送受信状態判定部３２やサイマル放送受信状態判定部３７の判定結果に基づき、音声出力部１３へ出力する放送をラジオ放送とサイマル放送との間で切り替える。なお、放送切替部３８は、切り替えた放送の種類を示す情報を表示制御部３９へ出力する。
【００４７】
例えば、図４Ａに示すように、放送切替部３８は、音声出力部１３に対してラジオ放送が出力されているときに、ラジオ放送受信部３１におけるラジオ放送受信状態が受信不可状態であると判定された場合（時刻Ｔ１）、音声出力部１３へ出力する放送をラジオ放送からサイマル放送へ切り替える。
【００４８】
また、図４Ｂに示すように、放送切替部３８は、音声出力部１３に対してサイマル放送が出力されているときに、端末装置１００におけるサイマル放送受信状態が受信不可状態であると判定された場合（時刻Ｔ３）、音声出力部１３へ出力する放送をサイマル放送からラジオ放送へ切り替える。
【００４９】
表示制御部３９は、例えば音声出力部１３に対して出力されている放送の種類を示す情報などを表示部１４に表示させる。
【００５０】
端末装置制御部４０は、端末装置１００の動作を制御する制御部である。例えば、端末装置制御部４０は、音声出力部１３に対してラジオ放送が出力されている場合（図４Ａで時刻Ｔ１前、または図４Ｂで時刻Ｔ３後）、端末装置１００に対してサイマル放送の受信を停止させる停止信号（以下「受信停止信号」という）を出力する。
【００５１】
端末装置１００にあっては、受信停止信号が入力されると、サーバ１１０に対する通信処理を停止してサイマル放送の受信を停止する。すなわち、音声出力部１３に対してラジオ放送が出力されている場合、端末装置１００でのサイマル放送の受信は不要であるため、停止させるようにした。これにより、端末装置１００におけるデータ通信料を削減することができ、ユーザにとって有益である。
【００５２】
なお、上記では、端末装置１００は、端末装置制御部４０からの受信停止信号によってサイマル放送の受信を停止したが、これに限られない。すなわち、例えば音声出力部１３への出力がラジオ放送であることを示す情報が放送受信装置２０から端末装置１００へ入力されるようにしておき、端末装置１００は、かかる情報が入力された場合にサイマル放送の受信を停止するようにしてもよい。この場合、端末装置制御部４０を除去することも可能である。
【００５３】
また、図３に示すように、端末装置１００にあっては、例えば端末装置側バッファ部１０１を備えるようにしてもよい。端末装置側バッファ部１０１は、サーバ１１０から配信されるサイマル放送の音声情報を一時的に記憶する。端末装置１００は、端末装置側バッファ部１０１に記憶されて蓄積された音声情報を放送受信装置２０へ出力する。これにより、端末装置１００にあっては、例えばサイマル放送の音声情報が受信状態の悪化で一時的に途切れた場合であっても、音切れすることを回避することができる。
【００５４】
なお、端末装置１００においては、端末装置側バッファ部１０１に音声情報を蓄積しておく時間、言い換えると、音声情報のマージン量を示す時間を「バッファ時間」として予め設定可能とされる。
【００５５】
このような場合、サイマル放送受信状態判定部３７は、バッファ時間と同じ時間をしきい値ｃ（所定時間）として設定するようにしてもよい。なお、しきい値ｃは、上記したように無音区間の判定基準となる値である。
【００５６】
すなわち、サイマル放送受信状態判定部３７は、無音区間がバッファ時間と同じ値のしきい値ｃ継続した場合、端末装置側バッファ部１０１には無音の音声情報しかないと推定し、サイマル放送受信状態が受信不可状態であると判定する。これにより、サイマル放送受信状態判定部３７にあっては、サイマル放送受信状態が受信不可状態にあることを正確に判定することが可能となる。
【００５７】
＜３．第１の実施形態に係る放送受信装置の放送切替処理＞
次に、放送受信装置２０による放送を切り替える際に実行する具体的な処置手順について図５を用いて説明する。図５は、放送受信装置２０が実行する処理手順を示すフローチャートである。
【００５８】
図５に示すように、放送受信装置２０は、音声出力部１３に対してサイマル放送を現在出力中か否かを判定する（ステップＳ１１）。放送受信装置２０は、音声出力部１３に対してサイマル放送を出力中であると判定された場合（ステップＳ１１，Ｙｅｓ）、サイマル放送の音声情報において無音区間がしきい値ｃ以上継続したか否かを判定する（ステップＳ１２）。
【００５９】
放送受信装置２０は、音声情報において無音区間がしきい値ｃ以上継続していないと判定された場合（ステップＳ１２，Ｎｏ）、以降の処理をスキップする。他方、放送受信装置２０は、音声情報において無音区間がしきい値ｃ以上継続したと判定された場合（ステップＳ１２，Ｙｅｓ）、サイマル放送は受信不可状態であることから、音声出力部１３へ出力する放送をサイマル放送からラジオ放送へ切り替える（ステップＳ１３）。
【００６０】
続いて、放送受信装置２０は、ラジオ放送の受信レベルがしきい値ａ未満か否かを判定する（ステップＳ１４）。放送受信装置２０は、受信レベルがしきい値ａ未満ではないと判定された場合（ステップＳ１４，Ｎｏ）、音声出力部１３に対してラジオ放送の出力が継続されることから、端末装置１００に対して受信停止信号を出力し、端末装置１００でのサイマル放送の受信を停止させる（ステップＳ１５）。
【００６１】
一方、放送受信装置２０は、ラジオ放送の受信レベルがしきい値ａ未満であると判定された場合（ステップＳ１４，Ｙｅｓ）、サイマル放送およびラジオ放送のいずれも受信不可状態であることから、放送を出力することができない旨を表示部１４に表示させる（ステップＳ１６）。なお、ステップＳ１６において放送受信装置２０は、音声出力部１３からの音声出力をミュートする処理を行うようにしてもよい。
【００６２】
また、放送受信装置２０は、サイマル放送を出力中ではないと判定された場合（ステップＳ１１，Ｎｏ）、すなわち、音声出力部１３に対してラジオ放送を出力している場合、ラジオ放送の受信レベルがしきい値ａ未満か否かを判定する（ステップＳ１７）。
【００６３】
放送受信装置２０は、受信レベルがしきい値ａ未満ではないと判定された場合（ステップＳ１７，Ｎｏ）、以降の処理をスキップし、音声出力部１３に対してラジオ放送の出力が継続される。
【００６４】
放送受信装置２０は、受信レベルがしきい値ａ未満であると判定された場合（ステップＳ１７，Ｙｅｓ）、ラジオ放送は受信不可状態であることから、音声出力部１３へ出力する放送をラジオ放送からサイマル放送へ切り替える（ステップＳ１８）。なお、ステップＳ１８において、放送受信装置２０は、受信停止信号が出力されないようにする。
【００６５】
上述してきたように、第１の実施形態に係る放送受信装置２０は、ラジオ放送受信部３１と、サイマル放送入力部３５と、バッファ部３６と、サイマル放送受信状態判定部３７と、放送切替部３８とを備える。ラジオ放送受信部３１は、ラジオ放送を受信する。サイマル放送入力部３５は、端末装置１００で受信され、ラジオ放送と同一内容の放送が行われているサイマル放送の音声情報が入力される。
【００６６】
バッファ部３６は、サイマル放送入力部３５に入力されたサイマル放送の音声情報を一時的に記憶する。サイマル放送受信状態判定部３７は、バッファ部３６に記憶されたサイマル放送の音声情報に基づいて端末装置１００におけるサイマル放送の受信状態を判定する。放送切替部３８は、サイマル放送受信状態判定部３７の判定結果に基づき、音声出力部１３へ出力する放送をラジオ放送受信部３１で受信されたラジオ放送とサイマル放送入力部３５に入力されたサイマル放送との間で切り替える。これにより、出力する放送を、ラジオ放送とサイマル放送との間で適切なタイミングで切り替えることができる。
【００６７】
（第２の実施形態）
＜４．第２の実施形態における放送受信装置の構成＞
次いで、第２の実施形態に係る放送受信装置２０などの構成について説明する。図６は、第２の実施形態における放送受信装置２０を備えた放送受信システム１０の構成例を示すブロック図である。なお、以下においては、第１の実施形態と共通の構成については、同一の符号を付して説明を省略する。
【００６８】
図６に示すように、放送受信システム１０は、ＧＰＳ（Global  Positioning  System）受信部１５をさらに備える。ＧＰＳ受信部１５は、ＧＰＳ衛星からの信号に基づき、自車の現在位置を検出して現在位置の情報として制御部３０へ出力する。
【００６９】
第２の実施形態に係る放送受信装置２０の制御部３０は、位置情報取得部４１と、受信エリア情報取得部４２とをさらに備える。また、記憶部５０は、受信エリア情報５２を記憶する。上記した受信エリア情報５２には、例えばサイマル放送を受信可能な場所を示す情報が含まれている。
【００７０】
位置情報取得部４１は、ＧＰＳ受信部１５から出力される現在位置の情報を取得し、取得した情報を放送切替部３８へ出力する。
【００７１】
受信エリア情報取得部４２は、記憶部５０に記憶された受信エリア情報５２を取得し、取得した受信エリア情報５２を放送切替部３８へ出力する。
【００７２】
そして、放送切替部３８は、出力された現在位置の情報および受信エリア情報５２などに基づいて、音声出力部１３へ出力する放送をラジオ放送とサイマル放送との間で切り替える。
【００７３】
＜５．第２の実施形態に係る放送受信装置の放送切替処理＞
次に、第２の実施形態に係る放送受信装置２０による放送を切り替える際に実行する具体的な処置手順について図７を用いて説明する。図７は、第２の実施形態に係る放送受信装置２０が実行する処理手順を示すフローチャートである。
【００７４】
図７に示すように、第２の実施形態において、放送受信装置２０は、音声出力部１３に対してサイマル放送を出力中であると判定された場合（ステップＳ１１，Ｙｅｓ）、現在位置の情報および受信エリア情報５２を取得する（ステップＳ１１ａ）。
【００７５】
次に、放送受信装置２０は、現在の位置が受信エリアの外であるか否かを判定する（ステップＳ１１ｂ）。放送受信装置２０は、現在の位置が受信エリアの外ではないと判定された場合（ステップＳ１１ｂ，Ｎｏ）、すなわち現在の位置が受信エリア内であると判定された場合、ステップＳ１１ｂの処理を繰り返す。
【００７６】
一方、放送受信装置２０は、現在の位置が受信エリアの外であると判定された場合（ステップＳ１１ｂ，Ｙｅｓ）、上記したステップＳ１２の処理に進み、サイマル放送の音声情報において無音区間がしきい値ｃ以上継続したか否かを判定する。
【００７７】
なお、第２の実施形態の残りのステップＳ１２以降の処理は、第１の実施形態のステップＳ１２以降の処理と同様であるため、説明を省略する。
【００７８】
従って、第２の実施形態にあっては、放送受信装置２０は、現在の位置が受信エリアの外であり、かつ、バッファ部３６に記憶された音声情報における無音区間がしきい値ｃ以上継続した場合、端末装置１００におけるサイマル放送の受信状態は受信不可状態であると判定することとなる。
【００７９】
そして、放送受信装置２０は、音声出力部１３に対してサイマル放送が出力されているときに、受信不可状態であると判定された場合、音声出力部１３へ出力する放送をサイマル放送からラジオ放送へ切り替えることとなる。
【００８０】
このように、第２の実施形態にあっては、放送受信装置２０の現在の位置が受信エリア外となり、サイマル放送を受信できなくなる可能性があるタイミングで、バッファ部３６の音声情報における無音区間がしきい値ｃ以上継続するか否かを判定するようにした。
【００８１】
これにより、第２の実施形態では、音声出力部１３において音声が途切れる時間の短縮を図ることも可能となり、よって音声出力部１３から出力する放送を、ラジオ放送とサイマル放送との間で適切なタイミングで切り替えることができる。
【００８２】
なお、上記した実施形態において、音声放送の例としてラジオ放送を挙げたが、これに限られず、例えばテレビ放送などその他の種類の音声放送であってもよい。
【００８３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８４】
１０  放送受信システム
１３  音声出力部
２０  放送受信装置
３０  制御部
３５  サイマル放送入力部
３６  バッファ部
３７  サイマル放送受信状態判定部
３８  放送切替部
４０  端末装置制御部
４１  位置情報取得部
４２  受信エリア情報取得部
１００  端末装置
１０１  端末装置側バッファ部
１１０  サーバ
【図１】
2017139609.tif 000003
【図２】
2017139609.tif 000004
【図３】
2017139609.tif 000005
【図４Ａ】
2017139609.tif 000006
【図４Ｂ】
2017139609.tif 000007
【図５】
2017139609.tif 000008
【図６】
2017139609.tif 000009
【図７】
2017139609.tif 000010